(57)【特許請求の範囲】
【請求項１】
バックプレーンに固定されるように構成され、且つ、コネクタ受容部材と接合するように構成された、光ファイバを終端するためのコネクタであって、
一方向に貫通する軸穴のあいたハウジング部材と、
前記軸穴に収まるフェルールバレル組立体と、
前記ハウジング部材に収納されるバネ部材とからなり、
前記ハウジング部材は、コネクタ端部とケーブル受容端とを有し、
前記フェレールバレル組立体は、一端にフランジを有する管状部材を有し、光ファイバを収容するように構成されたフェルールが前記フランジから軸方向に突出し、
前記フランジは多角形に形作られた部分と、前記多角形に形作られた部分から前記フェルールまで延在するテーパーをつけた部分とを有し、
前記軸穴は、前記フランジの前記テーパーをつけた部分を受けるテーパー状のくぼみ部分を有し、
前記バネ部材は前記フェルールバレル組立体を囲み、前記フランジに接触し、前記テーパーをつけた部分が前記軸穴内の前記くぼみ部分とかみあうよう押し込み、
前記ハウジング部材は、互いに直交し且つ前記一方向に対して直交するＸ方向及びＹ方向においてコネクタ受容部材を整合させるため、前記コネクタ端部において、カム機能用の表面を形成するノーズ部分を有し、
前記フェルールが前記ノーズ部分の端部から突出する距離βが、不整合の生じたコネクタ受容部材と接続するのに十分であることを特徴とするコネクタ。
【請求項２】
前記カム機能用の表面が傾斜面であり、前記傾斜は、前記コネクタ端部において前記ハウジングの材料の少なくとも３０％を除去することによって形成されることを特徴とする請求項１記載のコネクタ。
【請求項３】
前記傾斜が、前記コネクタ端部において前記ハウジングの材料の約７０％を除去することによって形成されることを特徴とする請求項２記載のコネクタ。
【請求項４】
前記距離βが、約２．５４ｍｍであることを特徴とする請求項１記載のコネクタ。
【請求項５】
前記バネ部材が、前記フェルールの軸方向の約１．５２ｍｍの移動を可能とすることを特徴とする請求項１記載のコネクタ。
【請求項６】
前記コネクタは、さらに円筒形の挿入部材を含み、
前記挿入部材は前記ケーブル受容端において前記ハウジング部材の内部に挿入可能であり、前記挿入部材は張り出した大径部分を有し、
前記ハウジング部材は、前記張り出した大径部分を受容する開口をそれぞれ有する第１と第２の側壁を有することを特徴とする請求項１記載のコネクタ。
【請求項７】
前記コネクタは、前記ハウジング部材の表面から延在するラッチングアームをさらに有し、
前記ラッチングアームは、バックプレーンに取り付けられたレセプタクルに前記コネクタをラッチする第１のラッチングラグを有することを特徴とする請求項１記載のコネクタ。
【請求項８】
コネクタ終端された光ファイバケーブルであって、
補強部材を有する保護層によって包囲された光ファイバと、
コネクタ端部、ケーブル受容端部、及び一方向に貫通する軸穴を有するハウジングからなるコネクタ終端部と、
前記光ファイバを囲む管状部材からなり、一端にフランジを有する、前記軸穴に収まるフェルールバレル組立体と、
前記フランジから突出し、前記光ファイバを収容するフェルールとを含み、
前記フランジは、多角形に形作られた部分と、前記多角形に形作られた部分から前記フェルールまで延在するテーパーをつけた部分とを有し、
前記軸穴は、前記フランジのテーパーをつけた部分を受けるテーパー状のくぼみ部分を有し、
本光ファイバケーブルはさらに、前記ハウジング内に収まり前記フェルールバレル組立体の全長の一部を囲むバネ部材であって、前記テーパー状のくぼみ部分に前記フランジの前記テーパーをつけた部分がかみあうよう押し込むバネ部材を含み、
前記ハウジングは、互いに直交し且つ前記一方向に対して直交するＸ方向及びＹ方向においてコネクタ受容部材を整合させるため、前記コネクタ端部において、カム機能用の表面を形成する傾斜したノーズ部分を有し、前記光ファイバを収容する前記フェルールが、前記傾斜したノーズ部分の端部から距離βだけ延びることを特徴とする光ファイバケーブル。
【請求項９】
前記ハウジング内に収まり前記フェルールバレル組立体の全長の一部を囲む挿入部材をさらに含み、前記挿入部材は、前記バネ部材の一端を受け、前記補強部材が取り付けられる溝を有することを特徴とする請求項８記載のコネクタ終端された光ファイバケーブル。
【請求項１０】
前記ケーブル受容端部において前記ハウジングを囲むヨーク部材をさらに有し、前記ヨーク部材は、前記ハウジング上のラッチングアームの先端部と重なる先端部を有するトリガーアームを有することを特徴とする請求項９記載のコネクタ終端された光ファイバケーブル。
【請求項１１】
前記バネ部材は、前記フェルールバレル組立体が軸方向に約１．５２ｍｍ移動することを可能にすることを特徴とする請求項９記載のコネクタ終端された光ファイバケーブル。
【発明の詳細な説明】
【０００１】
【発明の属する技術分野】
本発明は、光ファイバ用コネクタに関し、特に、バックプレーン接続のプラグタイプの光ファイバ用コネクタに関する。
【０００２】
【従来の技術】
光ファイバ通信において、各端部でファイバ部分を結合するためのコネクタ、または、光ファイバケーブルを能動装置あるいは受動装置に接続するためのコネクタは、ほとんどすべての光ファイバシステムに不可欠な構成要素である。光ファイバ端部間の接続において１つまたは複数のコネクタの主要な機能は、たとえば、１つのファイバから他のファイバへの光の伝達を最大化するように、１つのファイバのコアと他のファイバのコアとを軸方向に整合（align）するような突合せの状態を端部で保つことである。もう一つの目的は、後方反射を最小にすることである。そのような整合の実現が非常に困難であることは、たとえば、シングルモードファイバのモードフィールド直径が、およそ９ミクロン（０．００９ｍｍ）であることを考えれば理解できる。ファイバ端部での良好な整合（すなわち挿入損失が低いこと）は、整合と、（もしあれば）ファイバ端部間の隙間の幅、および、ファイバ端部の表面の状態の相関関係であり、すべて今度はコネクタの設計に固有のものである。コネクタはまた、安定化と接続部の保護の役目も備えていなければならない。したがって、熱や機械的な変動の影響を最小にしなければならない。これと同様の問題が、プラグコネクタで終端接続される光ファイバが能動装置または受動装置で使用される構成、たとえばコンピュータやトランシーバなどにあてはまる。
【０００３】
最先端の技術が用いられる今日では、低い挿入損失と高い安定性を実現するのに用いられる多種多様なコネクタ設計がある。これらの設計のほとんどにおいて、一対のフェルールは（各コネクタに１つ、あるいは該コネクタに１つと装置に１つある）、光ファイバの端部をそれぞれに含み、端部と端部が当接接合し、光はその接続部分を伝播する。挿入損失を０にするにはフェルール内のファイバを正確に整合すること必要で、そのような状態は、製造時の許容誤差や費用の問題を考えると、偶然を除けば、実現はほぼ不可能である。したがって、コネクタの多くは、実用的で、好ましくは予測可能な程度の整合を実現するよう設計されるので、ある程度の不整合は許容される。あるいはその代わりとして、ボア内でフェルールを整合して、光学面(optical plane)のある停止位置で静止するに至るコネクタを採用する装置が受け入れられている。
【０００４】
一対のコネクタ間での整合のばらつきは、フェルールの中心線とファイバコアの中心線とのずれが原因である。通常、コネクタごとに異なるこのずれは、「偏心」として知られ、その端面におけるフェルールの長手方向の中心線とフェルール内に収められた光ファイバのコアの中心線との間の距離として規定される。合成ベクトルは、２つの構成要素、大きさと方向とを有する。２つのコネクタを相互接続し、偏心が存在する場合、１つのコネクタが回転すると、ファイバの相対的な位置は変化し、結果として連結部での挿入損失は増加または減少する。偏心の大きさがほぼ等しい場合、方向分が支配的になり、整合が実現するまでコネクタが関係回転することによって最高の結合が生じる。
【０００５】
アンドリュース他(Andrews et al.)による１９９９年７月２８日出願の米国特許出願番号第０９／３６３，９０８号には、コネクタの偏心方向の最適化を実現するためにコネクタを「調整する(tuning)」する構成が示されている。
【０００６】
残念ながらプラグ接続の挿入損失に影響を及ぼす問題は他にも多数ある。特に、コネクタプラグ、たとえばジャンパー・ケーブルの終端処理をするコネクタが、バックプレーンを通して、一般的に、コネクタアダプタを有する装置あるいは受信装置が取り付けられたコネクタの一部に接続される場合に顕著である。一般に、「バックプレーン」とは、装置の内と外を分離する壁であり、それを通して１つまたは複数の接続がなされる。したがって内部装置には、プラグコネクタと合わさる（回路パック）コネクタアダプタ、たとえばバックプレーンに取り付けられるＬＣ型のコネクタを有するプリント基板（ＰＷＢｓ）を含むこともある。バックプレーンはまた、たとえばスイッチ・ボックスに見られる、一側面に装置と、もう一方の側面から挿入可能なプラグコネクタを具備する取り付けパネルを含むかもしれない。一般的な使用において、浮動コネクタはバックプレーンに固定され、サーキット・パックは、バックプレーンコネクタプラグに接合することが必要とされるので、バックプレーンに差込接続される。
【０００７】
このような構成では、製作公差がＸ、Ｙ、Ｚのいずれか軸において重大な不整合になるまで重なる可能性がある。したがって、結合アダプタ、あるいは回路パックを伴うレセプタクル装置がプリント基板に取り付けられると、そのプリント基板マウントやアダプタマウント、アダプタ自体、そして回路パックのラッチング機構、それらすべてがある範囲の公差内で製作されていたとしても、たとえばそれぞれの公差が許容差の最大限であった場合、Ｘ、Ｙ、Ｚの１つまたはそれ以上の軸においてコネクタ・アダプタのフェルールに相当な不整合を引き起こす可能性がある。
【０００８】
あるアダプタがバックプレーン・ウォールに挿入される場合、バックプレーン上のレセプタクルにラッチされたフェルールには相当な不整合があるかもしれない。多くの場合、プラグへのアダプタの挿入は目に見えず、すなわち操作者がどちらのコネクタも見ることができないので、正確な位置を把握することは容易ではない。これはプラグのフェルールに損害を与える結果になる。したがって、挿入損失は好ましくない段階にまで増加することがあり、極端な例では、接続が不可能になることもあるかもしれない。加えて、フェルールがＺ軸上で著しく不適切な移動をすると、コネクタのフェルールバレルのねじれを引き起こし、調整されていた場合でも、プラグコネクタの非調整(de-tuning)をまねく可能性もある。
【０００９】
その上、Ｚ軸上のバックプレーン・ウォールにおいて、標準的なＬＣ型プラグコネクタでは、バックプレーンプラグのフェルールが装置のストッパーに当たるところ、あるいはフェルール組立体が当たるところである光学面と、バックプレーン前部の基準面(a reference plane)との間隔が、バックプレーンの厚さに関係なく一定に保たれるようにするのには十分な長さではないかもしれない。その場合二つのフェルールの正しい突き合わせが起こらず、大量の挿入損失が生じるかもしれない。
【００１０】
【発明が解決しようとする課題】
本発明は、公差の相違に関係なく接続に使用できるように設計され、望ましい挿入損失を確保するように修正されたプラグコネクタである。以下に、本発明の原理をＬＣ型コネクタを例に説明するが、他の型のコネクタにも同じ様に適用可能であることが理解されるだろう。
【００１１】
【課題を解決するための手段】
コネクタの基本的な構成要素は、その中を通る軸方向に延びる光ファイバの終端を保持するフェルールバレル組立体と、そのフェルールバレル組立体を収容するプラグハウジング部分である。ハウジング内に収まるバネ部分はバレルを囲み、ハウジングの内部と張り出したバレル部分に当たり、それによってフェルール組立体に、ハウジングに対して前方にバイアスをかける。本発明によれば、ハウジングのケーブル収納端からノーズ部分で終端するコネクタ端部までの長さは、バックプレーンの厚さには関係なくアダプタへの挿入を可能にするのに十分な長さである。
【００１２】
ハウジングはラッチングアーム、挿入部分、クリンプ部分、ラッチングアームを駆動するためのトリガーを有する後部のヨーク部分を有する。そしてハウジングの全長は、トリガー部分がバックプレーンの厚さに関係なく操作可能である長さである。バネ部分は増加した長さと同様に、接続予定のアダプタのＺ軸方向におけるいくらかの不整合に順応するためにフェルールが軸方向に大幅に移動することを可能にする。
【００１３】
この移動距離は通常より大きく、フェルールが延びてアダプタのフェルールと突き当たるのを確実にするが、それはたとえば、アダプタの位置がバックプレーンの前面によって規定されるＺ軸方向の基準面からの距離にかかわらず実現される。
【００１４】
また本発明よれば挿入部分は、補強部材として機能し、張り出した大径部分を有する。この大径部分は、軸方向の引きに耐える場所に挿入部分がしっかりと据わるためにハウジングの側壁にある穴にとどまるよう、頂部を切り詰めた円筒形の部分をした位置決めをするための平坦面を有する。その結果フェルールバレル組立体はハウジング内での回転を阻止され、そこに挿入部分が固定される。フェルールバレル組立体は、ハウジングの軸穴の６角形の開口あるいはくぼみに収まる６角形のバレルを有する。
【００１５】
バレルは、光損失の最適化を実現するコネクタ調整のために離座し、６つの部分のいずれにも旋回することが可能である。挿入部分の後部に取り付けられているクリンプ部分は、トリガーや作用するアームが取り付けられたヨーク部分やクリップ部分によって取り囲まれる。そのクリンプ部分は、コネクタにケーブルを取り付けるために、補強部材、たとえばアラミド・ファイバーを、挿入部分の後部に固定するのに用いられる。
【００１６】
さらに本発明によれば、コネクタのラッチングアームは、バックプレーンのほぼ基準面におけるある位置、あるいはそれに類する固定されたある位置において、バックプレーン・レセプタクルにラッチするように定置される。これは、必要ならばコネクタにラッチしないようにトリガーを作動可能なまま放っておく一方、バックプレーンの厚さに関係なく同じ場所のバックプレーンにコネクタをラッチするという効果を有する。
【００１７】
上記に指摘したように、アダプタは相反する製作公差のためＸ、Ｙ軸上で不整合を生じうるので、コネクタのハウジングのノーズ部分は面取りされる。面取り部分の傾斜した表面はアダプタ引き込みの役目をし、アダプタやレセプタクルとバックプレーンプラグコネクタのフェルールとが整合するようカムする機能を有している。
【００１８】
【発明の実施の形態】
図１は、単一のハウジング１２を有するＬＣ型プラグコネクタ１１の分解斜視図である。ハウジング１２は、ケーブル収納端１３からコネクタあるいはフェルール端部１４までの長さを有し、この長さは様々な厚さのバックプレーンに対応するのに十分なものである。したがってコネクタ１１は標準的なＬＣ型のコネクタよりもかなり長い。ラッチングアーム１６はハウジング１２から延び、第１と第２のラッチングラグ１７、１８を有し、コネクタ１１をラッチする。
【００１９】
ラッチングラグ１７、１８の軸方向の位置はコネクタ１１を適切に機能させるのに重要である。ハウジング１２とラッチングアーム１６は適当なプラスチック材が望ましく、できれば一体の構造物から作られているとよい。このプラスチック材はラッチングアームが押し下げられ、元の位置まではね戻るのを可能にするのに十分な弾性を有し、それにより「動的（living）」ヒンジを形成する。ハウジング１２は、その中にフェルールバレル組立体２０を収める貫通する軸穴１９があいている。フェルールバレル組立体２０は、フランジ２３とそこから延びるフェルール２４を有するバレル部材２１が付いた適応性に富む中空の管状部分２２からなる。バレル２１は、金属あるいは固いプラスチック材からなる。フェルール２４は適度に固く耐摩耗性の材料、好ましくはセラミックかガラス、あるいは金属からなり、中に光ファイバを収納する機能を有する。バネ部分２６は管状部分２２を取り囲み、バネの前端でフランジ２３の後部、バネの後端で挿入部分２７に当接する。挿入部分２７は管状で、管状部分２２を収める。
【００２０】
挿入部分２７は、張り出した大径部分２８を有する。大径部分２８は、挿入部分２７がハウジング１２のケーブル収納端１３の軸穴１９まで挿入するのを可能にする第１、第２の平坦面２９（一方のみ示す）を有する。ハウジングは一般に、ドリスコール他(Driscoll et al.)による１９９９年１０月６日出願の米国特許出願番号第０９／４１３，４３１号に示されるように、四角形の形状をしている。挿入部分２７はまた、図２（ｂ）に示す通り、挿入部分２７がハウジング１２に深く入りすぎるのを防ぐストッパーとして機能するフランジ３１を有する。図２（ａ）（ｂ）（ｃ）はそれぞれ、図１のコネクタ１１の、斜視図、断面図、前面図を示している。
【００２１】
挿入部分２７のケーブル収納端は補強部材、通常、アラミドファイバ３３を受けるよう設計された溝３２を有し、図３に最もよく示されるように、補強部材はクリンプ部分３４によって固定され、それにより引き込まれる光ファイバケーブルはコネクタ１１に固定される。図１に示す通り、ハウジング１２は側壁それぞれにボア３７を有し（図には一つのみ示す）、ボア３７はその中に挿入部分２７の張り出した大径部分を受け止め、挿入部分２７を長手方向すなわちＺ軸方向にハウジング１２内に取り付ける機能を有する。挿入部分２７の平坦面２９−２９はハウジング１２内のケーブル収納端で壁内に収納され、回転するの阻止される。
【００２２】
フランジ２３の前部は多角形の形状、好ましくは６角形の形状を有し、図２（ｂ）に最もよく示されるように、軸穴１９内の傾斜したくぼみ３９に収まるように作られた傾斜部分３８を持つ。くぼみ３９は同様に、多角形、たとえばその形状が６角形の場合、コネクタを調整する６面のどの面でもフランジ２３を受けるように作られた多角形の形状を有する。この調整の過程は、アンダーソン他(Anderson et al.)による１９９９年７月２８日出願の米国特許出願番号第０６／３６３，９０８号に開示されている。
【００２３】
図３、４にはコネクタ１１の斜視図で、それぞれ分解図と組立図である。コネクタ１１は、たとえば図５で示されるファイバ４５やバッファ層５０、そして補強部材３３を中に含む絶縁保護層５５からなるジャンパーケーブル３６の終端である。さらにコネクタ１１は、その上にトリガーアーム４１を持つクリップ部分４０を有する。クリップ部分４０は、長方形または正方形のボア４２を有し、図４に示すように、ハウジング１２のケーブル収納端に滑り嵌めされるよう設計されている。
【００２４】
ストッパー４３は（一つのみ図示）、クリップ部分４０の長手方向の位置決めを行うよう機能し、ハウジング１２のラッチ穴４４（一つのみ図示）とかみ合う内部のラッチ手段（図示はしていない）によってハウジング１２にラッチする。保護ブート４６は、クリップ４０の後部から伸び、ヨーク４０が組立後に動くのを防ぐ。またこの保護ブート４６は、クリンプ３４を包囲し保持するボア４７を有する。防塵キャップ４８は、ハウジングのフェルール終端部あるいはコネクタ終端部１４に挿入可能で、コネクタ組み立て後、ハウジングより先に出る距離β分のフェルール２４を保護する。というのは、図２（ｂ）に最もよく示す通り、距離βは、標準的なＬＣ型コネクタがたとえば約１．７８ｍｍであるのに比べ、ここでは約２．５４ｍｍであるからである。
【００２５】
本発明によれば、ハウジング１２のフェルール終端部あるいはコネクタ終端部１４は、図２（ｂ）に示すように、フェルール２４を囲むチップ先端部を持つテーパーをつけたノーズ部分４９を有する。以下に詳細に述べるように、テーパーをつけた部分４９は、コネクタ１１とアダプタやコネクタ１１に合わせる予定の他の装置に整合する機能を有する。このテーパーをつけたノーズ部分４９は、チップ先端部において、ハウジング材料の３０％以上の除去で形成される。実際には、７０％の除去がすばらしい結果を生むことがわかっている。このノーズ部分４９は、軸穴１９の区域内のハウジングのコネクタ終端部１４を標準的なＬＣ型のコネクタにおけるよりもいくらか短い範囲にする。したがってフェルール２４はハウジングからさらに遠くに突出し、後に明確に述べるように、Ｚ軸方向での適切な整合を可能にする。
【００２６】
次に使用例を説明する。コネクタ１１は、バックプレーン・ウォールの一方からレセプタクルに取り付けられ、ラッチされる。そして通常は続いて、プリント基板または他の装置、好ましくはその上に装置を受けるアダプタか類似するコネクタを有するものが、バックプレーン・ウォールの他方から回路パック（非図示）に取り付けられ、プラグコネクタ１１が接続される。この接続構成を、薄いバックプレーン・ウォール５１の場合を図５、比較的厚いバックプレーン・ウォール５２の場合を図６に示す。どちらの例においても、バックプレーン・ウォール５１や５２における前面５３は、通常使用下でフェルール２４とアダプタ５６内にある装置フェルール（非図示）とが接する光学面５４からの固定距離がαである基準面である。この距離αは、たとえば１６．２６ｍｍである。
【００２７】
アダプタ５６は、図５、６の左部に図示されるように、プリント基板５８が回路パックとラッチング構成（非表示）の一部であるとき、アダプタ５６の中心線がコネクタ１１の中心線と一致するように、プリント基板５８に固定された間隔ブロック５７上に取り付けられている。ここでコネクタ１１は、たとえば２０００年２月２９日出願の、グリムス他(Grimes et al.)による審査中の米国特許出願第０９／５１５，９９８号に開示されているような適当な型のレセプタクル５９に取り付けらている。図に示されているように、レセプタクル５９はバックプレーン・ウォール６１のいろいろな厚さに調整可能であり、プラグコネクタ１１は常に基準面５３に対し一定の位置になるようにラッチされる。
【００２８】
さらにハウジング１２の長さは、バックプレーン・ウォール６１や５１の厚さには関係なく、ラグ１７、１８のラッチを外すためにトリガー４１を前方に押すことによりラッチングアーム１６と相互作用するようにアクセスできる長さである。レセプタクル５９はバックプレーン５１、６１のボア６２の内部にあり、ボア６２はレセプタクル５９の断面よりわずかに大きい。したがって、コネクタ１１がＺ軸の後方向に固定されているにもかかわらず、レセプタクル５９、そしてコネクタ１１は、ラッチを外すためにＺ軸の前方向やＸ、Ｙ軸方向にいくらかでも移動できる。後述するように、このような移動はアダプタ５６とコネクタ１１の適切な整合を達成するのに重要である。
【００２９】
ハウジング１２の長さが追加されたことにより、バネ部分２６が少し圧縮し戻るのに必要な力についてバネ部分２６のキャリブレーションを多少でも向上させる。どちらの力もバネ部分２６が当たるバレルやフランジ２３を押しつけるフェルールバレル組立体２１の移動を伴う。図５、６には、フェルール２４の端部は光学面５４内に位置しているよう示されている。これはフランジの傾斜部分３８やバレル２３が軸穴１９のくぼみ３９に正しく据わらない場合である。これは単に例示のためで、本来フェルール２４の端部は、光学面５４より先、距離βの最大限まで出る。バネ部分２６の圧力によりフェルール２４が最大限先に位置すると、フェルール２４は距離β飛び出し、光学面５４より先に延びる。
【００３０】
プリント基板がソケットや取り付け台に差込接続される場合（非図示）、説明のための例として、フェルールを装備したコネクタを有するアダプタ５６が、Ｘ、Ｙ、Ｚのすべての軸方向で不整合が生じると仮定する。その中のフェルール２４が光学面５４より先に延びる場合、アダプタ５６がフェルール２４の端部に突き当たった時、バネ部分２６の圧力に対抗してバックプレーンに向けてフェルール２４を押す。バネ部分２６はフェルール２４の後戻りを１．５２ｍｍ程度にするように補正され、突出距離αをたとえば１．０２ｍｍから２．５４ｍｍまでに変更する。
【００３１】
標準的なプラグコネクタにおいて移動の幅は１．２７ｍｍから１．７８ｍｍで、不整合が生じる場合、特にＺ軸方向に生じる場合、バックプレーン接続には不十分である。ゆえに、コネクタ１１はＺ軸上のこのような不整合に対して補正する。一方、アダプタ５６のフェルール２４の長さが短すぎて光学面５４に到達できない場合、光学面から先にコネクタ終端部１４が延びるようコネクタ１１を短縮するとフェルール２４が長くなることになり、それによって補正が可能となる。どちらの場合においても光学面は基準面５３に対してαの位置から動く。
【００３２】
アダプタ５６がＸ軸および／またはＹ軸方向で不整合を生じる時、アダプタの終端６３は傾斜したノーズ部分４９に当たり、それによって整合するようカムされる。極端な場合では、不整合が大きすぎてコネクタ１１を動かしてしまいかねない。レセプタクル５９はコネクタ１１を固定位置で保持するので、レセプタクル自体がボア内の不整合を吸収してＸ、Ｙ軸方向で移動する。本発明によるプラグコネクタのこのような柔軟性は、接続された装置の不整合に適応し、標準的に起こるであろうものより挿入損失をかなり小さくする。
【００３３】
図７はコネクタ１１がデュープレックスタイプのアダプタ５６に使用するためのデュープレックスタイプのレセプタクル６４に取り付けられた平面図である。
【００３４】
前述の本発明によるプラグコネクタは少なくとも一部は回転が制御されている。というのは、側壁の穴３７に張り出した大径部分が嵌るのと合わせて平坦面２９−２９の嵌合があるからである。これはまた偶発的な引き抜きに対しても保護し、引き抜き強度を増加させる。そして、回転の制御を与えるのと同様に、従来のバックプレーン使用のコネクタ類よりもはるかに挿入損失を減少させる。
【００３５】
なお、特許請求の範囲に記載した発明の構成要件の後の括弧内の符号は、構成要件と実施例と対応づけて発明を容易に理解させる為のものであり、特許請求の範囲の解釈に用いるべきのものではない。
【図面の簡単な説明】
【図１】コネクタの主要構成要素の分解斜視図である。
【図２】（ａ）図１のコネクタを部分的に組み立てた斜視図である。
（ｂ）図１のコネクタの断面図である。
（ｃ）図１のコネクタの前面図である。
【図３】図１のコネクタによって終端接続されたジャンパーケーブルの分解斜視図である。
【図４】ジャンパーケーブルの組み立てられた終端接続部の分解斜視図である。
【図５】壁が薄いタイプのバックプレーンに使用されるコネクタの構成を表す図４の終端接続部の断面図である。
【図６】壁が厚いタイプのバックプレーンに使用されるコネクタの構成を表す図４の終端接続部の断面図である。
【図７】デュープレックスタイプのコネクタに使用される本発明によるバックプレーンコネクタの上面図である。
【符号の説明】
１１  コネクタ
１２  ハウジング
１３  ケーブル収納端
１４  フェルール終端部あるいはコネクタ終端部
１６  ラッチングアーム
１７、１８  ラッチングラグ
１９  軸穴
２０  フェルールバレル組立体
２１  バレル
２２  管状部分
２３  フランジ
２４  フェルール
２６  バネ部分
２７  挿入部分
２８  大径部分
２９  平坦面
３１  フランジ
３２  溝
３３  補強部材
３４  クリンプ
３６  ジャンパーケーブル
３７  ボア
３８  テーパーをつけた部分
３９  くぼみ
４０  クリップ／ヨーク
４１  トリガー
４２  ボア
４３  ストッパー
４４  ラッチ穴
４５  ファイバ
４６  保護ブート
４７  ボア
４８  防塵キャップ
４９  ノーズ部分
５０  バッファ
５１、６１  バックプレーン
５２  バックプレーン・ウォール
５３  基準面
５４  光学面
５５  絶縁保護層
５６  アダプタ
５７  間隔ブロック
５８  プリント基板
５９、６４  レセプタクル
６３  アダプタ端部
【図１】
0004077165.tif 000002
【図２】
0004077165.tif 000003
【図３】
0004077165.tif 000004
【図４】
0004077165.tif 000005
【図５】
0004077165.tif 000006
【図６】
0004077165.tif 000007
【図７】
0004077165.tif 000008